(57)【要約】      （修正有）【課題】流入する清浄水をボトル内で循環流動させることによって、ボトル内の水が常時清浄な状態を保つことを可能とするような機能を持つ蓋を用いて、種類やサイズの異なるペットボトルを多数連結し、費用と労力を最小限に抑えた、ペットボトル群貯水槽を提供する。【解決手段】直線型または屈曲型をなす流水部を１の隔壁で二分し、その各々にボトル内へ通じる３，４のような通水口を設け、その一方の通水口に円形、楕円形、角形等の形状で、硬質または柔軟性を持つ材料で作った６の管を装着し、その管を通して流入した清浄水をボトルの底部へと導水するか、または逆に、ボトル内に充満した清浄水をボトルの底部から上部へと導水して排出することを可能な、清浄水を循環流動させる機能を持つペットボトル蓋を用いて、種類やサイズの異なる他のペットボトルとホースで多数連結し、ペットボトル群貯水槽を構成し、緊急時用の清浄水を常時確保しておく。【選択図】図１
0003130397.tif 000002
【実用新案登録請求の範囲】
【請求項１】
直線型または屈曲型をなす流水部を隔壁で二分し、その各々にボトル内へ通じる通水口を設け、その一方の通水口に円形、楕円形、角形等の形状で、硬質または柔軟性を持つ材料で作った管を装着し、その管を通して流入した清浄水をボトルの底部へと導水するか、または逆に、ボトル内に充満した清浄水をボトルの底部から上部へと導水して排出することの可能な、清浄水を循環流動させる機能を持つペットボトル用蓋。
【考案の詳細な説明】
【技術分野】
【０００１】  本考案は、ペットボトルを利用して、緊急時用清浄水を常時貯留確保しておく機能を持つペットボトル用蓋に関するものである。
【背景技術】
【０００２】  地震、台風、事故などの緊急時、清浄水の供給が停止した際、清浄水の確保に困窮する。その対策として、長期保存用水を購入し、容器への溜め置きなどの自衛手段を取っている。【０００３】  長期保存用水には保存期限がある。また容器へ水を溜め置きしておく場合は、隔日毎に水を入れ替えする必要がある。
【考案の開示】
【考案が解決しようとする課題】
【０００４】  長期保存用水の購入を不要とし、容器への清浄水の溜め置きによる隔日毎の入れ変え労力を不要とするため、【０００５】  ペットボトル用の蓋に、流入する清浄水をボトル内で循環流動し排出させる機能を持たせ、ペットボトルを多数連結し、労力を要せずに簡易に、常時清浄水を貯留確保しておくことの出来るペットボトル群貯水槽の製作を図ること。
【課題を解決するための手段】
【０００６】  市販されている各種ペットボトルの蓋のサイズが、その種類および容量の大小を問わず殆どが同じであることに着目し、かつ廃棄するペットボトルの再利用を図ること。【０００７】  ペットボトル用の蓋の流水部を隔壁で二分し、その各々にボトルへ通じる通水口を設け、一方の通水口に管を装着する。
装着する管は、円形、楕円形、角形等の形状を持ち、また硬質あるいは柔軟性を持つ材料で製作する。
この管を通して、流入する清浄水をペットボトルの底部へと導水し、あるいはこの管を通して清浄水を、ペットボトルの底部から上部の流水部へと導水し排出する。
要するに、管は清浄水をペットボトルの底部へと導水し、あるいはペットボトルの底部から上部へと導水する両用の役目を果たすことになる。
排出された清浄水は、ホースで連結された次のペットボトルへと向かう。
この流動によって清浄水はボトル内を循環流動することになる。【０００８】  連結された次のペットボトル内でも清浄水は同様な流動を行い、循環流動を繰り返すことになる。清浄水がこの作動を順次繰り返すことによって、連結されたペットボトル内の水は常時清浄な状態に保たれる。
【考案の効果】
【０００９】  本考案によって、長期保存用水の購入が不要となる。【００１０】  日常における浴槽の水張り、洗濯機の水張り、ガーデニングの水遣り、炊事、洗車等々の生活行動において、ペットボトル内に常時清浄水を確保しておくことが出来ることから、清浄水の隔日毎の入れ替え作業が不要となり、費用と労力を省くことが出来る。【００１１】  廃棄される各種ペットボトルの容量の大小を問わず、清浄水の貯留槽として再利用が図れる。【００１２】ペットボトル群を、各所・随所に置くことによって緊急時の危険分散を図ることが出来る。
【考案を実施するための最良の形態】
【００１３】  本案による蓋を用いて、ペットボトルをその種類と容量の大小を問わず、ホースで多数連結する。
最初のペットボトルの流入側のホースを、水道の蛇口に連結してから蛇口を緩め、ペットボトルへの流水を始める。
多数連結した最後のペットボトルのホースから排出される清浄水を用いて、浴槽の水張り、洗濯機の水張り、ガーデニングの水遣り、炊事、洗車等々の作業を行う。
場合によっては、多数連結されたペットボトル群へ、清浄水のみの供給を単独に（いわゆる垂れ流し）行う。
【実施例】
【００１４】  以下、添付図面に従って実施例を説明する。
〔図１〕、〔図２〕、〔図３〕、〔図４〕、〔図５〕、〔図６〕に示す構造を持つペットボトルの蓋の一方の通水口３に、円形、楕円形、角形等の形状を持ち、また硬質あるいは柔軟性を持つ材料で製作した管６を〔図９〕のように装着する。
この管は流入する清浄水をペットボトルの底部へと導水し、あるいはペットボトルの底部から上部へと導水する役目を果たすものである。【００１５】  管６を装着した状態で〔図７〕〔図８〕のように蓋を閉める。
単体のペットボトル内での清浄水の循環流動は次のように行われる。
〔図７〕においては、管を通して清浄水がペットボトルの底部に導水される。
〔図８〕においては、管を通して清浄水がペットボトルの上部に導水される。
このことから清浄水の流入、排出は、管を装着したペットボトルのどちら側から行っても差し支えない構造であることが解る。【００１６】  ペットボトルの蓋を閉めた後、９のホースを用いて〔図１０〕のように各種大小多数のペットボトルを連結する。【００１７】  最初のペットボトルの流入側のホースを水道の蛇口１０に連結した後蛇口を緩める。
それによって浄浄水の流入が開始される。連結されたペットボトル群内を浄浄水が循環流動して、最後のペットボトルの排出側のホースを通して所要の作業へ浄浄水が補給される。各種所要の作業が終了した後蛇口を閉める。
ペットボトル貯えられた水は常時清浄な状態で保持される。【００１８】  ペットボトル群は、所要の目的に応じて、浴室の隅、洗濯機の側、庭の隅、炊事場の隅、車庫の隅等々、各所、随所に置いておく。
清浄水を貯留したペットボトル群は危険分散のため、出来るだけ各所・随所に置いておくことが好ましい。
【図面の簡単な説明】
【００１９】
【図１】  流水部直線型ペットボトル蓋の立面図である。
【図２】  流水部直線型ペットボトル蓋の断面図である。
【図３】  流水部直線型ペットボトル蓋を真上から見た平面図である。
【図４】  流水部屈曲型ペットボトル蓋の立面図である。
【図５】  流水部屈曲型ペットボトル蓋の断面図である。
【図６】  流水部屈曲型ペットボトル蓋を真上から見た平面図である。
【図７】  清浄水が、管を通してペットボトルの底部に導水され、ペットボトル内を循環流動して上部の流水部へと向かう概念図である。
【図８】  ペットボトル内に充満した清浄水が、管を通してペットボトルの底部から上部の流水部へと導水され、循環流動する概念図である。
【図９】  管を蓋に装着した概念図である。
【図１０】  各種、大小のペットボトルを多数連結し、清浄水を流入して各種用途に供する際の概念図である。
【符号の説明】
【００２０】  １  流水部の隔壁
２  流水部
３  管を装着する通水口
４  通水口
５  ペットボトル本体との接合のためのネジ切り部
６  清浄水を導水する管
７  ペットボトル
８  清浄水の循環流動
９  ホース
１０  蛇口
【図１】
0003130397.tif 000003
【図２】
0003130397.tif 000004
【図３】
0003130397.tif 000005
【図４】
0003130397.tif 000006
【図５】
0003130397.tif 000007
【図６】
0003130397.tif 000008
【図７】
0003130397.tif 000009
【図８】
0003130397.tif 000010
【図９】
0003130397.tif 000011
【図１０】
0003130397.tif 000012